(57)【特許請求の範囲】
【請求項１】
ケーブル設備によって同軸ケーブル線端末につながれた同軸ケーブル・ネットワーク・ユニットを動作させるための方法であって、前記方法は、
発見モード動作において：
前記同軸ケーブル・ネットワーク・ユニットの登録をトリガするために、発見ＧＡＴＥメッセージを前記同軸ケーブル線端末から受信することと、前記発見ＧＡＴＥメッセージは、第１の長さからなるサイクリック・プレフィックスを有する直交周波数分割多重（ＯＦＤＭ）シンボルを備える、
前記発見モードに続くノーマル・モード動作において：
第２の長さからなるサイクリック・プレフィックスを有するＯＦＤＭシンボルを備えるデータ・パケットを前記同軸ケーブル線端末から受信することと、前記第２の長さは、前記第１の長さより短い
を備える方法。
【請求項２】
前記発見モードにおいて、登録要求メッセージを伴う前記発見ＧＡＴＥメッセージに応答することをさらに備える、請求項１に記載の方法。
【請求項３】
前記登録要求メッセージは、前記第１の長さからなるサイクリック・プレフィックスを有するＯＦＤＭシンボルを備える、請求項２に記載の方法。
【請求項４】
前記登録要求メッセージは、前記同軸ケーブル・ネットワーク・ユニットから前記同軸ケーブル線端末へアップストリーム送信のために利用可能な最長のサイクリック・プレフィックスを有するＯＦＤＭシンボルを備える、請求項２に記載の方法。
【請求項５】
前記発見モードにおいて、前記登録要求メッセージに応答して登録メッセージ及びゲート・メッセージを受信することをさらに備え、前記登録及びゲート・メッセージは、各々前記第１の長さからなるサイクリック・プレフィックスを有するＯＦＤＭシンボルを備える、請求項２に記載の方法。
【請求項６】
前記登録メッセージ及びゲート・メッセージに応答して肯定応答メッセージを送信することをさらに備える、請求項５に記載の方法。
【請求項７】
前記肯定応答メッセージは、前記第１の長さからなるサイクリック・プレフィックスを有するＯＦＤＭシンボルを備える、請求項６に記載の方法。
【請求項８】
前記肯定応答メッセージは、前記同軸ケーブル・ネットワーク・ユニットから前記同軸ケーブル線端末へアップストリーム送信のために利用可能な最長のサイクリック・プレフィックスを有するＯＦＤＭシンボルを備える、請求項６に記載の方法。
【請求項９】
前記第１の長さからなるサイクリック・プレフィックスを有するＯＦＤＭシンボルを備えるプレフィックス規定メッセージを前記同軸ケーブル線端末から受信することをさらに備え、前記プレフィックス規定メッセージは、前記同軸ケーブル・ネットワーク・ユニットに、前記データ・パケットが、前記第２の長さからなるサイクリック・プレフィックスを有するだろうと指示する、請求項１に記載の方法。
【請求項１０】
前記プレフィックス規定メッセージは、前記ノーマル・モード動作において受信され、
前記方法は、前記ノーマル・モード動作において前記プレフィックス規定メッセージを受信する前に、前記第１の長さからなるサイクリック・プレフィックスを有するＯＦＭＤシンボルを備えるデータ・パケットを受信することをさらに備える、請求項９に記載の方法。
【請求項１１】
前記同軸ケーブル・ネットワーク・ユニットに、前記データ・パケットは、前記第２の長さからなるサイクリック・プレフィックスを有するだろうと指示するメッセージパケットを、前記発見モードにおいて、受信することをさらに備える、請求項１に記載の方法。
【請求項１２】
ノーマル・モード動作において、前記ケーブル設備を介して前記同軸ケーブル線端末へＯＦＤＭシンボルを備えるデータ・パケットを送信することをさらに備え、ここにおいて、前記送信されたデータ・パケットの前記ＯＦＤＭシンボルは、前記第２の長さとは異なる第３の長さからなるサイクリック・プレフィックスを有する、請求項１に記載の方法。
【請求項１３】
前記第３の長さからなるサイクリック・プレフィックスを有するＯＦＤＭシンボルを備える前記データ・パケットを送信する前に、データ・パケットを送信するとき、前記同軸ケーブル線端末から、前記第３の長さからなるサイクリック・プレフィックスを使用するように、前記同軸ケーブル・ネットワーク・ユニットに指示するメッセージを受信することをさらに備える、請求項１２に記載の方法。
【請求項１４】
前記同軸ケーブル・ネットワーク・ユニットに、前記第３の長さからなるサイクリック・プレフィックスを使用するように指示する前記メッセージは、前記第１の長さからなるサイクリック・プレフィックスを有するＯＦＤＭシンボルを備える、請求項１３に記載の方法。
【請求項１５】
前記第３の長さは、前記第２の長さより長い、請求項１２に記載の方法。
【請求項１６】
前記第１及び第２の長さは、前記同軸ケーブル線端末から前記同軸ケーブル・ネットワーク・ユニットへダウンストリーム送信のために利用可能なサイクリック・プレフィックス長さのセットから選択され、
前記第３の長さは、前記同軸ケーブル・ネットワーク・ユニットから前記同軸ケーブル線端末へアップストリーム送信のために利用可能なサイクリック・プレフィックス長さのセットから選択される、請求項１２に記載の方法。
【請求項１７】
前記第１及び第２の長さは、利用可能なサイクリック・プレフィックス長さのセットから選択され、
前記第１の長さは、前記セットのうちの最長の長さである、請求項１に記載の方法。
【請求項１８】
同軸ケーブル・ネットワーク・ユニットであって、
同軸ケーブル線端末へＯＦＤＭシンボルを備えるパケットを送信する送信器と、
前記同軸ケーブル線端末からＯＦＤＭシンボルを備えるパケットを受信する受信器と、を備え、
前記受信器は、発見モード動作の間、第１の長さからなるサイクリック・プレフィックスを伴う１つ又は複数のＯＦＤＭシンボルを備える１つ又は複数のメッセージ・パケットを受信し、前記1つ又は複数のメッセージ・パケットは、前記同軸ケーブル・ネットワーク・ユニットの登録をトリガするために、発見ＧＡＴＥメッセージを備え、ノーマル・モード動作の間、第２の長さからなるサイクリック・プレフィックスを伴うＯＦＤＭシンボルを備えるデータ・パケットを受信するように構成可能であり、前記第２の長さは、前記第１の長さよりも短い、
ここにおいて、前記発見ＧＡＴＥメッセージは、前記第１の長さからなるサイクリック・プレフィックスを有するＯＦＤＭシンボルを備える、
同軸ケーブル・ネットワーク・ユニット。
【請求項１９】
前記送信器は、利用可能なサイクリック・プレフィックス長さのセットから選択されるべき長さからなるサイクリック・プレフィックスを伴うＯＦＤＭシンボルを備えるパケットを送信するように構成可能である、請求項１８に記載の同軸ケーブル・ネットワーク・ユニット。
【請求項２０】
１つ又は複数のプロセッサと、
前記１つ又は複数のプロセッサによって実行されるとき、前記同軸ケーブル・ネットワーク・ユニットに、前記受信器を、前記ノーマル・モードの間、前記第２の長さの使用を規定する、前記同軸ケーブル線端末からのメッセージ・パケットに応答して、前記第２の長さからなる前記サイクリック・プレフィックスを伴う前記ＯＦＤＭシンボルを受信するように構成させる命令を記憶するメモリと
をさらに備える、請求項１８に記載の同軸ケーブル・ネットワーク・ユニット。
【請求項２１】
ケーブル設備によって同軸ケーブル線端末につながれた同軸ケーブル・ネットワーク・ユニットを動作させるための方法であって、前記方法は、
発見モード動作において：
第１の長さからなるサイクリック・プレフィックスを有する、１つ又は複数の直交周波数分割多重（ＯＦＤＭ）シンボルを備える、１つ又は複数のメッセージ・パケットを前記同軸ケーブル線端末から受信することと、前記1つ又は複数のメッセージ・パケットは、前記同軸ケーブル・ネットワーク・ユニットの登録をトリガするために、発見ＧＡＴＥメッセージを備え、
前記発見モードに続くノーマル・モード動作において：
第２の長さからなるサイクリック・プレフィックスを有するＯＦＤＭシンボルを備えるデータ・パケットを前記同軸ケーブル線端末から受信することと、前記第２の長さは、前記第１の長さより短い、
前記同軸ケーブル線端末に、ＯＦＤＭシンボルを備えるデータ・パケットを送信することと、ここにおいて、前記送信されたデータ・パケットの前記ＯＦＤＭシンボルは、前記第２の長さとは異なる第３の長さからなるサイクリック・プレフィックスを有し、前記第１及び第２の長さは、前記同軸ケーブル線端末から前記同軸ケーブル・ネットワーク・ユニットへダウンストリーム送信のために利用可能なサイクリック・プレフィックス長さのセットから選択され、前記第３の長さは、前記同軸ケーブル・ネットワーク・ユニットから前記同軸ケーブル線端末へアップストリーム送信のために利用可能なサイクリック・プレフィックス長さのセットから選択される、
を備える方法。
【請求項２２】
前記発見モードにおいて前記１つ又は複数のメッセージ・パケットを受信することは、前記同軸ケーブル・ネットワーク・ユニットの登録をトリガするために、前記発見ＧＡＴＥメッセージを受信することを備え、前記発見ＧＡＴＥメッセージは、前記第１の長さからなるサイクリック・プレフィックスを有するＯＦＤＭシンボルを備える、請求項２１に記載の方法。
【請求項２３】
前記発見モードにおいて、前記第１の長さからなるサイクリック・プレフィックスを有するＯＦＤＭシンボルを備える登録要求メッセージを伴う前記発見ＧＡＴＥメッセージに応答することをさらに備える、請求項２２に記載の方法。
【請求項２４】
前記ノーマル・モード動作において、前記第１の長さからなるサイクリック・プレフィックスを有するＯＦＤＭシンボルを備えるプレフィックス規定メッセージを前記同軸ケーブル線端末から受信することと、ここにおいて、前記プレフィックス規定メッセージは、前記同軸ケーブル・ネットワーク・ユニットに、受信データ・パケットが、前記第２の長さからなるサイクリック・プレフィックスを有するだろうと指示する、
前記プレフィックス規定メッセージを受信する前に、前記第１の長さからなるサイクリック・プレフィックスを有するＯＦＤＭシンボルを備えるデータ・パケットを受信することと、
をさらに備える、請求項２１に記載の方法。
【請求項２５】
前記第３の長さからなるサイクリック・プレフィックスを有するＯＦＤＭシンボルを備える前記データ・パケットを送信する前に、データ・パケットを送信するとき、前記同軸ケーブル線端末から、前記第３の長さからなるサイクリック・プレフィックスを使用するように、前記同軸ケーブル・ネットワーク・ユニットに指示するメッセージを受信することをさらに備える、請求項２１に記載の方法。
【請求項２６】
前記同軸ケーブル・ネットワーク・ユニットに、前記第３の長さからなるサイクリック・プレフィックスを使用するように指示する前記メッセージは、前記第１の長さからなるサイクリック・プレフィックスを有するＯＦＤＭシンボルを備える、請求項２５に記載の方法。
【請求項２７】
同軸ケーブル・ネットワーク・ユニットであって、
同軸ケーブル線端末へＯＦＤＭシンボルを備えるパケットを送信する送信器と、
前記同軸ケーブル線端末からＯＦＤＭシンボルを備えるパケットを受信する受信器と、を備え、
前記受信器は、発見モード動作の間、第１の長さからなるサイクリック・プレフィックスを伴う１つ又は複数のＯＦＤＭシンボルを備える１つ又は複数のメッセージ・パケットを受信し、前記1つ又は複数のメッセージ・パケットは、前記同軸ケーブル・ネットワーク・ユニットの登録をトリガするために、発見ＧＡＴＥメッセージを備え、ノーマル・モード動作の間、第２の長さからなるサイクリック・プレフィックスを伴うＯＦＤＭシンボルを備えるデータ・パケットを受信するように構成可能であり、前記第２の長さは、前記第１の長さよりも短い、
前記送信器は、前記ノーマル・モード動作において、前記第２の長さとは異なる第３の長さからなるサイクリック・プレフィックスを伴うＯＦＤＭシンボルを備えるデータ・パケットを送信するように構成可能であり、
前記第１及び第２の長さは、前記同軸ケーブル線端末から前記同軸ケーブル・ネットワーク・ユニットへダウンストリーム送信のために利用可能なサイクリック・プレフィックス長さのセットから選択され、
前記第３の長さは、前記同軸ケーブル・ネットワーク・ユニットから前記同軸ケーブル線端末へアップストリーム送信のために利用可能なサイクリック・プレフィックス長さのセットから選択される
同軸ケーブル・ネットワーク・ユニット。
【請求項２８】
１つ又は複数のプロセッサと、
前記１つ又は複数のプロセッサによって実行されるとき、前記同軸ケーブル・ネットワーク・ユニットに、前記受信器を、前記ノーマル・モードの間、前記第２の長さの使用を規定する、前記同軸ケーブル線端末からのメッセージ・パケットに応答して、前記第２の長さからなる前記サイクリック・プレフィックスを伴う前記ＯＦＤＭシンボルを受信するように構成させる命令を記憶するメモリと
をさらに備える、請求項２７に記載の同軸ケーブル・ネットワーク・ユニット。
【請求項２９】
前記メモリは、前記１つ又は複数のプロセッサによって実行されるとき、前記同軸ケーブル・ネットワーク・ユニットに、前記ノーマル・モードの間、前記第３の長さの使用を規定する、前記同軸ケーブル線端末からのメッセージ・パケットに応答して、前記第３の長さからなる前記サイクリック・プレフィックスを伴う前記ＯＦＤＭシンボルを送信するように、前記送信器を構成させる命令をさらに記憶する、請求項２８に記載の同軸ケーブル・ネットワーク・ユニット。
【発明の詳細な説明】
【技術分野】
【０００１】
[0001]  本実施形態は、一般に通信システムに関連し、特に同軸ケーブル設備（ｐｌａｎｔｓ）によるＯＦＤＭ通信に関連する。
【背景技術】
【０００２】
[0002]  ネットワークは、それぞれのリンクに光ファイバ及び同軸ケーブル（ｃｏａｘ）の両方を使用しうる。例えば、光ファイバを使用するネットワークの一部は、イーサネット（登録商標）・パッシブ・オプティカル・ネットワーク（ＥＰＯＮ）プロトコルを使用して実施され、ＥＰＯＮプロトコルは、同軸ケーブル設備を超えて拡張される。同軸ケーブル（ｃｏａｘ）を超えて実施されるようなＥＰＯＮプロトコルは、ＥＰｏＣと呼ばれる。そのようなネットワークの物理レイヤ（ＰＨＹ）は、直交周波数分割多重（ＯＦＤＭ）及び／又は直交周波数分割多重アクセス（ＯＦＤＭＡ）を使用しうる。
【０００３】
[0003]  特定のケーブル設備内で送信された信号は、同軸ケーブル通信チャネル内で発生する微小反射によって歪められる。これらの微小反射の遅延及び振幅は、特定のケーブル設備に依存する。また、周波数分割多重（ＦＤＤ）を使用するシステムにおいて、微小反射の振幅及び遅延スプレッドは、ダウンストリーム及びアップストリーム通信に対して使用される異なる周波数に関して異なる。例えば、微小反射の振幅及び遅延スプレッドは、ダウンストリーム送信に対して使用されるより高い周波数におけるよりも、アップストリーム送信に対して使用される低い周波数においてより大きい。
【０００４】
[0004]  ＯＦＤＭ  ＰＨＹにおいて、各シンボルの前に、ケーブル設備が微小反射に起因する、通信チャネルの遅延スプレッドの影響を解決するためにサイクリック・プレフィックスがある。しかしながら、ＯＦＤＭサイクリック・プレフィックスが長い場合、それは、長いＯＦＤＭシンボル又は高いサイクリック・プレフィクス・オーバーヘッドのいずれか一方につながる。
【０００５】
[0005]  したがって、同軸ケーブル通信チャネルを伴うＯＦＤＭシステムにおける効率的なサイクル・プレフィックス・スキームに対する要求がある。
【０００６】
[0006]  本実施形態は、例示の方法によって説明され、添付図面の図によって制限されることを意図されていない。
【図面の簡単な説明】
【０００７】
【図１Ａ】[0007]  図１Ａは、いくつかの実施形態による光リンク及び同軸ケーブル・リンクの両方を含むネットワークのブロック図である。
【図１Ｂ】図１Ｂは、いくつかの実施形態による光リンク及び同軸ケーブル・リンクの両方を含むネットワークのブロック図である。
【図１Ｃ】[0008]  図１Ｃは、いくつかの実施形態による、ケーブル設備によって、同軸ケーブル線端末（ＣＬＴ）が、複数の同軸ケーブル・ネットワーク・ユニット（ＣＮＵｓ）につながれるネットワークのブロック図である。
【図２Ａ】[0009]  図２Ａは、いくつかの実施形態による変化する長さからなるプレフィックスを伴うＯＦＤＭシンボルを説明する。
【図２Ｂ】図２Ｂは、いくつかの実施形態による変化する長さからなるプレフィックスを伴うＯＦＤＭシンボルを説明する。
【図２Ｃ】図２Ｃは、いくつかの実施形態による変化する長さからなるプレフィックスを伴うＯＦＤＭシンボルを説明する。
【図３Ａ】[0010]  図３Ａは、いくつかの実施形態による、ノーマル・モード動作の間にデータ移動によって続かれ、発見モード動作の間に実行される自動発見プロシージャを説明する。
【図３Ｂ】図３Ｂは、いくつかの実施形態による、ノーマル・モード動作の間にデータ移動によって続かれ、発見モード動作の間に実行される自動発見プロシージャを説明する。
【図４Ａ】[0011]  図４Ａは、いくつかの実施形態による、光同軸ケーブル・ユニットのブロック図である。
【図４Ｂ】[0012]  図４Ｂは、いくつかの実施形態による、同軸ケーブル・ネットワーク・ユニットのブロック図である。
【図５】[0013]  図５は、いくつかの実施形態による、ケーブル設備により同軸ケーブル線端末につながれた同軸ケーブル・ネットワーク・ユニットを動作させる方法のフローチャートである。
【０００８】
[0014]  同様の参照番号は、図面及び明細書を通して対応する部分を参照する。
【詳細な説明】
【０００９】
[0015]  変化する長さからなるサイクリック・プレフィックスが、同軸ケーブルＯＦＤＭ通信において使用される実施形態が開示される。
【００１０】
[0016]  いくつかの実施形態において、ケーブル設備によって、同軸ケーブル線端末につながれる同軸ケーブル・ネットワーク・ユニットは、発見モード及びノーマル・モードにおいて動作する。発見モードにおいて、同軸ケーブル・ネットワーク・ユニットは、同軸ケーブル線端末から、第１の長さからなるサイクリック・プレフィックスを伴う１つ又は複数の直交周波数分割多重（ＯＦＤＭ）シンボルを含む１つ又は複数のメッセージ・パケットを受信する。ノーマル・モードにおいて、発見モードの後で、同軸ケーブル・ネットワーク・ユニットは、同軸ケーブル線端末から、第２の長さからなるサイクリック・プレフィックスを伴うＯＦＤＭシンボルを含むデータ・パケットを受信する。第２のサイクリック・プレフィックス長さは、第１の長さに等しい又は短いうちのいずれか一方である。
【００１１】
[0017]  いくつかの実施形態において、同軸ケーブル・ネットワーク・ユニットは、ＯＦＤＭシンボルを含むパケットを、同軸ケーブル線端末に送信する送信器、及び同軸ケーブル線端末からＯＦＤＭシンボルを含むパケットを受信する受信器を含む。受信器は、発見モード動作の間に第１の長さからなるサイクリック・プレフィックスを伴う１つ又は複数のＯＦＤＭシンボルを含む１つ又は複数のメッセージ・パケットを受信し、ノーマル・モード動作の間に第２の長さからなるサイクリック・プレフィックスを伴うＯＦＤＭシンボルを含むデータ・パケットを受信するように構成可能である。第２のサイクリック・プレフィックス長さは、第１の長さに等しい又は短いうちのいずれか一方である。
【００１２】
[0018]  後続の説明において、特定のコンポーネント、回路、及びプロセスの例など、多数の特定の詳細が、本開示の完全な理解を提供するために、説明される。また、後続の説明において、及び説明の目的のため、特定の述語体系が、本実施形態の完全な理解を提供するために説明される。しかしながら、当業者に対して、これらの特定の詳細は、本実施形態を実施するために必要とされ得ないことが明らかである。他の例において、周知の回路及びデバイスが、本開示を分かりにくくすることを避けるために、ブロック図の中で示される。ここで使用される、用語「つながれた」は、１つ又は複数の介在するコンポーネント又は回路に直接接続される又は介して接続されることを意味する。ここで説明される、様々なバスを通じて提供される信号のいずれも、他の信号と時間多重され、及び１つ又は複数の共通バスを通じて提供され得る。加えて、回路素子又はソフトウェアブロックの間の相互接続は、バスとして又は単一信号線として示され得る。バスの各々は、あるいは単一信号線であり得、単一信号線の各々は、あるいはバスであり得、単一線又はバスは、コンポーネント間の通信のための物理的又は論理的メカニズムからなる無数のものからなる任意の１つ又は複数を表しうる。本実施形態は、ここに説明される特定の例に限定されると解釈されるべきではなく、むしろ添付された特許請求の範囲によって定義されるすべての実施形態を、それらの範囲内に含めるべきである。
【００１３】
[0019]  図１Ａは、いくつかの実施形態による、光リンク及び同軸ケーブル・リンクの両方を含むネットワーク１００のブロック図である。ネットワーク１００は、それぞれの光ファイバ・リンクを介して、複数の光ネットワーク・ユニット（ＯＮＵｓ）１２０−１及び１２０−２につながれた光リンク端末（ＯＬＴ）１１０を含む。ＯＬＴ１１０はまた、それぞれの光ファイバ・リンクを介して複数の光同軸ケーブル・ユニット（ＯＣＵｓ）１３０−１及び１３０−２につながれる。ＯＣＵ１３０−１及び１３０−２は、ＯＬＴ１１０から光信号を受信し、それぞれの同軸ケーブル・リンクを介して同軸ケーブル・ネットワーク・ユニット（ＣＮＵｓ）１４０−１乃至１４０−５へ、対応する電気信号ダウンストリームを送信する。ＯＣＵ１３０−１及び１３０−２はまた、それぞれの同軸ケーブル・リンクを介してＣＮＵ１４０−１乃至１４０−５からアップストリーム電気信号を受信し、ＯＬＴ１１０へ対応する光信号を送信する。ＣＮＵ１４０は、対応するＯＣＵ１３０によって特定されるスケジュールされた時間においてアップストリーム電気信号を送信する。したがって、ＯＣＵ１３０−１及び１３０−２は、リレー局として作動する。図１Ａの例において、第１のＯＣＵ１３０−１は、ＣＮＵ１４０−１及び１４０−２と通信し、第２のＯＣＵ１３０−２は、ＣＮＵ１４０−３、１４０−４及び１４０−５と通信する。第１のＯＣＵ１３０−１をＣＮＵ１４０−１及び１４０−２とつなげる同軸ケーブル・リンクは、第１のケーブル設備１５０−１を構成する。第２のＯＣＵ１３０−２をＣＮＵ１４０−３乃至１４０−５とつなげる同軸ケーブル・リンクは、第２のケーブル設備１５０−２を構成する。それぞれの同軸ケーブル・リンクは、パッシブな同軸ケーブルであり得、あるいは、１つ又は複数の増幅器及び／又は等価器を含みうる。いくつかの実施形態において、ＯＬＴ１１０、ＯＮＵ１２０−１並びに１２０−２、及びＯＣＵ１３０−１並びに１３０−２は、イーサネット・パッシブ・オプティカル・ネットワーク（ＥＰＯＮ）プロトコルによって実施される。
【００１４】
[0020]  いくつかの実施形態において、ＯＬＴ１１０は、ネットワーク・オペレータの前処理に配置され、ＯＮＵ１２０及びＣＮＵ１４０は、それぞれのユーザの施設に配置され、及びＯＣＵ１３０は、それぞれのケーブル設備１５０の前処理に、又はそれぞれのケーブル設備１５０内に配置される。
【００１５】
[0021]  いくつかの実施形態において、ネットワーク１００内のＯＮＵ１２０及びＯＣＵ１３０の各々は、同じデータ・レートでデータを受信する。ＯＮＵ１２０及びＯＣＵ１３０は、それぞれ、ＯＬＴ１１０によって送信されたパケットのすべてを受信する。例えば、ユニキャスト送信に関して、各ＯＮＵ１２０は、ＯＬＴ１１０によって送信されたすべてのパケットを受信するが、それにアドレスを指定されたパケットのみ選択し、それにアドレスを指定されていないすべてのパケットを廃棄する。同様に、ユニキャスト送信に関して、ＯＣＵ１３０はまた、ＯＬＴ１１０によって送信されたすべてのパケットを受信するが、それらのそれぞれのケーブル設備１５０上でＣＮＵ１４０にアドレスを指定されていないパケットを除去する。
【００１６】
[0022]  いくつかの実施形態において、ＯＣＵ１３０は、図１ＢにおいてＯＣＵ１３０−１及び１３０−２について説明されるように、同軸ケーブル線端末（ＣＬＴ）１６２（同軸ケーブル・リンク端末としても言及される）とつながれたＯＮＵ１６０を含む。ＯＮＵ１６０は、ＯＬＴ１１０からダウンストリーム・パケット送信を受信し、それらをＣＬＴ１６２に提供する。ＣＬＴ１６２は、そのケーブル設備１５０上でＣＮＵ１４０にアドレスを指定されていないパケットを除去し、そのケーブル設備１５０上でＣＮＵ１４０に残りのパケットを転送する。ＣＬＴ１６２はまた、そのケーブル設備１５０上でＣＮＵ１４０からアップストリーム・パケット送信を受信し、ＯＬＴ１１０にそれらを送信する、ＯＮＵ１６０にこれらを提供する。いくつかの実施形態において、ＯＮＵ１６０及びＣＬＴ１６２は、同軸ケーブル及び光リンク間のジョイント・リソース割当を許すように構成される。例えば、ＯＮＵ１６０及びＣＬＴ１６２は、ジョイント・リソース割当を実行する光‐同軸ケーブル収束レイヤの実施を共有する。
【００１７】
[0023]  図１Ｃは、いくつかの実施形態による、ＣＬＴ１６２（例えば、ＯＣＵ１３０−２のＣＬＴ１６２、図１Ｂ）が、ケーブル設備１５０−２によってＣＮＵ１４０−３乃至１４０−５につながれたネットワーク１７０を説明する。ネットワーク１７０は、図１Ｂのネットワーク１００の部分でありうる。説明されたように、ＣＬＴ１６２は、ＣＮＵ１４０−３乃至１４０−５にパケット・ダウンストリームを送信し、ＣＮＵ１４０−３乃至１４０−５からアップストリーム・パケット送信を受信する。
【００１８】
[0024]   （例えば、ＣＬＴ１６２の）ＯＣＵ１３０及びＣＮＵ１４０の同軸ケーブルＰＨＹ（例えば、ＰＨＹ４０８及び４２６、図４Ａ−Ｂ）は、異なる長さからなる（すなわち、異なる継続時間からなる）サイクリック・プレフィックスを有するＯＦＤＭシンボルを送信及び受信するように構成可能である。異なるサイクリック・プレフィックス長さは、例えば、異なるケーブル設備１５０内の微小反射によって引き起こされる信号損傷の度合い（例えば、遅延スプレッド）に依存する、異なるケーブル設備１５０のために選択されうる。さらに、所与のケーブル設備１５０内のアップストリーム及びダウンストリーム送信は、異なる長さからなるサイクリック・プレフィックスを使用しうる。また、異なるサイクリック・プレフィックス長さは、（例えば、図３Ａ及び３Ｂに関して以下に説明されるように）異なる動作モードの間使用されうる。
【００１９】
[0025]  いくつかの実施形態において、ＯＣＵ１３０及びＣＮＵ１４０の同軸ケーブルＰＨＹは、サイクリック・プレフィックス長さの予め定義されたセット内の任意の長さからなるサイクリック・プレフィックスを有するＯＦＤＭシンボルを送信及び／又は受信するように構成可能である。図２Ａ乃至２Ｃは、第１のＯＦＤＭシンボル２０２（図２Ａ）が、長いサイクリック・プレフィックス２００を有し、第２のＯＦＤＭシンボル２０６が、中間の長さのサイクリック・プレフィックス２０４を有し、及び第３のＯＦＤＭシンボル２１０が、短いサイクリック・プレフィックス２０８を有する、変化する長さのプレフィックスを伴うＯＦＤＭシンボルを説明する。１つの実施において、中間の長さのプレフィックス２０４は、長いプレフィックス２００の長さの半分であり、及び短いプレフィックス２０８は、中間のプレフィックス２０４の長さの半分であり、他の実施が可能である。プレフィックス２００、２０４及び２０８の長さは、ＯＣＵ１３０及び／又はＣＮＵ１４０が様々な動作モード内で同軸ケーブル送信及び／又は受信に使用するように構成可能である利用可能なプレフィックス長さのセットを形成する。図２Ａ乃至２Ｃは、３つの利用可能なプレフィックス長さのセットを説明するが、いくつかの実施形態において、２つのプレフィックス長さのみが利用可能であり、一方他の実施形態において、４つ又はそれ以上のプレフィックス長さが利用可能である。また、（例えば、ＦＤＤ同軸ケーブル・ネットワークに属する）いくつかの実施形態において、プレフィックス長さの第１のセットが、ＣＮＵ１４０からＣＬＴ１６２へのアップストリーム送信について利用可能であり、プレフィックス長さの第２のセットが、ＣＬＴ１６２からＣＮＵ１４０へのダウンストリーム送信について利用可能である。
【００２０】
[0026]  サイクリック・プレフィックス長さの選択は、チャネルの遅延スプレッドとして言及される、ケーブル設備１５０内の微小反射のスプレッドに少なくとも部分的に基づいてなされる。別のケーブル設備１５０よりも短い遅延スプレッドを有するケーブル設備１５０は、別のケーブル設備１５０より短いサイクリック・プレフィックスを調整することができる。また、いくつかのＦＤＤ実施形態において、低い周波数は、アップストリーム送信に使用され、より高い周波数は、ダウンストリーム送信に使用される。アップストリーム送信に使用されるより低い周波数は、概して、ダウンストリーム送信に使用されるより高い周波数よりもより大きい遅延スプレッドを有する。したがって、いくつかの実施形態において、アップストリーム送信に使用されるサイクリック・プレフィックスは、ダウンストリーム送信に使用されるサイクリック・プレフィックスよりもより長い。１つの例において、４マイクロ秒、２マイクロ秒、及び１マイクロ秒のプレフィックスは、アップストリーム送信に利用可能であり、２マイクロ秒、１マイクロ秒、及び０．５マイクロ秒のプレフィックスは、ダウンストリーム送信に利用可能である。
【００２１】
[0027]  いくつかの実施形態において、最も長い利用可能なサイクリック・プレフィックス長さ（例えば、長いプレフィックス２００の長さ、図２Ａ）は、デフォルトのプレフィックス長さとして発見モード内で使用される。発見モードにおいて、特定のケーブル設備１５０上のＣＮＵ１４０は、ケーブル設備のＯＣＵ１３０で登録される。一度、ＣＮＵ１４０がＯＣＵ１３０で登録されると、それらは、ノーマル・モード動作の間、ＯＣＵ１３０との後続のデータ通信についてより短いサイクリック・プレフィックス（例えば、中間の長さのプレフィックス２０４及び／又は短いプレフィックス２０８、図２Ｂ乃至２Ｃ）を使用するように構成可能である。
【００２２】
[0028]  図３Ａは、いくつかの実施形態による、自動発見プロシージャ（例えば、ステップ１乃至４）が、ノーマル・モード動作の間データ移動３０２によって後続される、発見モードの間実行されるプロセス３００を説明する。ＣＬＴ１６２（図１B乃至１C）が、ノーマル動作モードを出て、発見モードに入るとき、例えば、自動発見プロシージャは、周期的な発見ウィンドウの間実行される。自動発見プロシージャの開始において、ＣＮＵ１４０−１及びＣＮＵ１４０−２は、ＯＣＵ１３０−１で両方登録を取り消され、したがって、またOLT１１０（図１A乃至１B）で登録を取り消される。OCU１３０−１は、登録を取り消されたＣＮＵ１４０の登録をトリガするために、周期的に特別なＧＡＴＥメッセージ（例えば、発見ＧＡＴＥ）を分配する。プロシージャのステップ１において、ＯＣＵ１３０−１は、これらの発見ＧＡＴＥメッセージのうちの１つを分配する。ステップ２において、登録を取り消されたＣＮＵ１４０−１及び１４０−２は、登録リクエスト（ＲＥＧＩＳＴＥＲ＿ＲＥＱ）メッセージで答えることによって、アップストリーム送信を得るために争い、登録を試みる。（同様のメッセージがまた登録を取り消すためにＣＮＵ１４０によって発行される。）図３Ａの例において、ＣＮＵ１４０−１は、ＯＣＵ１３０−１にそのＲＥＧＩＳＴＥＲ＿ＲＥＱメッセージを送信することに成功し、しかし、ＣＮＵ１４０−２は失敗する。ＯＣＵ１３０−１は、ＣＮＵ１４０−１からのＲＥＧＩＳＴＥＲ＿ＲＥＱメッセージを復号し、ＣＮＵ１４０−１に固有の論理リンクＩＤ（ＬＬＩＤ）を割り当てる登録（ＲＥＧＩＳＴＥＲ）メッセージでＣＮＵ１４０−１に応答し（ステップ３ａ）、ＣＮＵ１４０−１にユニキャストＧＡＴＥメッセージを即座に送る（ステップ３ｂ）。（ＯＣＵ１３０−１はまた、登録を取り消すためにＣＮＵ１４０−１に指示する。）ＣＮＵ１４０−１は、登録を完了するために肯定応答メッセージ（ＲＥＧＩＳＴＥＲ_ＡＣＫ、ステップ４）で（又は、登録が失敗する場合、否定応答（ｎｏｎ−ａｃｋｎｏｗｌｅｄｇｍｅｎｔ）メッセージ（ＮＡＣＫ）で）答える。この時点において、ＣＮＵ１４０−１は、ＯＣＵ１３０−１で登録され、しかしＣＮＵ１４０−２は登録を取り消されたままである。
【００２３】
[0029]  ステップ１乃至４におけるメッセージ・パケットの各々は、比較的長いサイクリック・プレフィックス（例えば、最長の利用可能なサイクリック・プレフィックス）を有する１つ又は複数のＯＦＤＭシンボルを使用して送られる。例えば、各メッセージ・パケットは、対応する長いプレフィックス２００（図２Ａ）を伴うＯＦＤＭシンボル２０２を使用して送られる。いくつかの実施形態において、ステップ１、３ａ、及び３ｂのダウンストリーム・メッセージは、ダウンストリーム送信についての最長の利用可能な長さからなるプレフィックスを使用して送られ、ステップ２のアップストリーム・メッセージは、アップストリーム送信についての最長の利用可能な長さからなるプレフィックスを使用して送られる。
【００２４】
[0030]  いくつかの実施形態において、ステップ１及び３のダウンストリーム・メッセージは、ＯＬＴ１１０（図１Ａ乃至１Ｂ）が起源であり、ＯＣＵ１３０−１によってＣＮＵ１４０−１及び１４０−２に転送される。また、いくつかの実施形態において、ＯＣＵ１３０−１は、ステップ２及び４のアップストリーム・メッセージをＯＬＴ１１０に転送し、ＣＮＵ１４０−１及び１４０−２が、ＯＬＴ１１０のみならずＯＣＵ１３０−１で登録されることを許可する。
【００２５】
[0031]  ＣＮＵ１４０−１が登録された後、ＯＣＵ１３０−１は、ＣＮＵ１４０−１に、ＯＣＵ１３０−１及びＣＮＵ１４０−１間のデータ移動について使用されるべき（１つ又は複数の）サイクリック・プレフィックス長さを特定する１つ又は複数のメッセージ（ＰＲＥＦＩＸ＿ＳＰＥＣＩＦＩＣＡＴＩＯＮ）を送る（ステップ５）。各特定されたプレフィックス長さは、発見の間に使用されるデフォルト・プレフィックス長さよりも短くありえ、又はあるいはケーブル設備に依存する、デフォルト・プレフィックス長さに等しくありうる。いくつかの実施形態において、これらの１つ又は複数のメッセージは、発見モードが終了した後ノーマル・モード動作において送信される、運用、管理、保守（ＯＡＭ）メッセージである。ＣＮＵ１４０−１は、肯定応答（ＰＲＥＦＩＸ＿ＡＣＫ）メッセージで、これらのメッセージの各々に応答する（ステップ６）。いくつかの実施形態において、異なるプレフィックス長さは、アップストリーム及びダウンストリーム送信について使用される；第１のＯＡＭメッセージは、ＣＮＵ１４０−１からＯＣＵ１３０−１へアップストリーム送信について使用されるべきプレフィックス長さを規定し、第２のＯＡＭメッセージは、ＯＣＵ１３０−１からＣＮＵ１４０−１へダウンストリーム送信について使用されるべきプレフィックス長さを規定する。あるいは、同じＯＡＭメッセージは、アップストリーム及びダウンストリームプレフィックス長さを規定する。ＯＣＵ１３０−１がステップ６のＰＲＥＦＩＸ＿ＡＣＫメッセージを受信するまで、より短いプレフィックスは、規定されていると考えないので、ステップ５及び６のメッセージは、ステップ１乃至４のメッセージとして同じ長いプレフィックス（例えば、長いプレフィックス２００、図２Ａ）を使用する。
【００２６】
[0032]  ステップ６の後、１つ又は複数の規定された長さからなるプレフィックス（例えば、プレフィックス２０４及び／又はプレフィックス２０８、図２Ｂ乃至２Ｃ）を使用するデータ移動３０２が、ノーマル動作の間、ＯＣＵ１３０−１及びＣＮＵ１４０−１の間で起こる。データ移動３０２は、アップストリーム及びダウンストリーム方向の両方で起こる。いくつかの実施形態において、第１の規定されたプレフィックス長さは、ダウンストリーム送信について使用され、（例えば、第１の規定されたプレフィックス長さよりも長い）第２の規定されたプレフィックス長さは、アップストリーム送信について使用される。あるいは、同じ規定されたプレフィックス長さは、アップストリーム及びダウンストリーム送信について使用される。ＯＣＵ１３０−１及びＣＮＵ１４０−１間の後続のＯＡＭメッセージはまた、（１つ又は複数の）規定されたプレフィックス長さを使用しうる。
【００２７】
[0033]  いくつかの実施形態において、図３Ｂのプロセス３１０について説明されているように、ＯＣＵ１３０−１及びＣＮＵ１４０−１間のデータ移動３０４はまた、登録の後（例えば、発見モードが終了している後）で、ステップ５及び６のＯＡＭメッセージの前に起こる。（ＯＡＭメッセージは、ノーマル・モード動作の間に周期的に送信され得る。）（１つ又は複数の）より短いプレフィックス長さはまだ規定されていないので、データ移動３０４は、ステップ１乃至４のメッセージ（例えば、長いプレフィックス２００、図２Ａ）として（１つ又は複数の）同じデフォルトの長いプレフィックス長さを使用する。
【００２８】
[0034]  別の実施形態において、ノーマル動作の間にＯＣＵ１３０−１及びＣＮＵ１４０−１並びに１４０−２の間のデータ移動３０２について使用されるべき（１つ又は複数の）プレフィックス長さは、１つ又は複数の発見メッセージによって発見モード内で規定される。例えば、発見ＧＡＴＥメッセージ（ステップ１）、ＲＥＧＩＳＴＥＲメッセージ（ステップ３ａ）、又はＧＡＴＥメッセージ（ステップ３ｂ）について使用されるシンボル２０２（図２Ａ）は、（１つ又は複数の）プレフィックス長さを規定し、ＲＥＧＩＳＴＥＲ_ＡＣＫメッセージ（ステップ４）は、プレフィックス長さ規定を肯定応答する。その後、ステップ５及び６は、省略される。
【００２９】
[0035]  図４Ａは、いくつかの実施形態による、ＯＣＵ４００のブロック図である。ＯＣＵ４００は、ＯＣＵ１３０の例である（図１Ａ乃至１Ｂ）。ＯＣＵ４００において、光ＰＨＹ４０６及び同軸ケーブル（例えば、ＥＰｏＣ）ＰＨＹ４０８は、メモリ４０４につながれた、プロセッサ（例えば、１つ又は複数のプロセッサ・コア）４０２につながれる。光ＰＨＹ４０６は、ＯＮＵ１６０の一部であり（図１Ｂ）、同軸ケーブルＰＨＹ４０８は、ＣＬＴ１６２の一部である（図１Ｂ乃至１Ｃ）。（あるいは、光ＰＨＹ４０６は省略され、図４Ａは、図１Ｂ又は１ＣのＣＬＴ１６２を説明する。）メモリ４０４は、プロセッサ４０２から離れているように示されるが、メモリ４０４のすべて又は一部が、プロセッサ４０２に組み込まれうる。いくつかの実施形態において、メモリ４０４は、プロセッサ４０２による実行のために命令を記憶する、非一時的なコンピュータ可読媒体（例えば、ＥＰＲＯＭ、ＥＥＰＲＯＭ、フラッシュメモリ、ハードディスク・ドライブなどのような、１つ又は複数の不揮発性メモリ素子）を含む。これらの命令は、プロセッサ４０２によって実行されるとき、ＯＣＵ４００に、ＯＣＵ４００のケーブル設備上で、ＣＮＵ１４０にメッセージを送信させ、ＣＮＵ１４０からのメッセージを処理させ、ＣＮＵ１４０でデータを移動させることを行わせる命令を含む（例えば、図３Ａ及び３Ｂに説明されているように）。例えば、これらの命令は、方法５００のすべて又は一部に対応する命令を含む（図５）（例えば、方法５００に属する、ＣＮＵにより受信されたパケットを送信し、及び方法５００に属する、ＣＮＵにより送信されたパケットを受信及び処理する命令）。同軸ケーブルＰＨＹ４０８は、発見及びノーマル・モードの間の送信について使用されるべきプレフィックス長さを規定し、また発見及びノーマル・モードの間に受信された信号に関する起こりうるプレフィックス長さを規定する値を記憶するために、構成レジスタ４１０を含む。
【００３０】
[0036]  図４Ｂは、いくつかの実施形態による、ＣＮＵ４２０のブロック図である。ＣＮＵ４２０は、ＣＮＵ１４０の例である（図１Ａ乃至１Ｃ）。ＣＮＵ４２０において、同軸ケーブル（例えば、ＥＰｏＣ）ＰＨＹ４２６は、メモリ４２４につながれる、プロセッサ（例えば、１つ又は複数のプロセッサ・コア）４２２につながれる。メモリ４２４は、プロセッサ４２２から離れているように示されるが、メモリ４０４のすべて又は一部が、プロセッサ４２２に組み込まれる。いくつかの実施形態において、メモリ４２４は、プロセッサ４２２による実行のために命令を記憶する、非一時的なコンピュータ可読媒体（例えば、ＥＰＲＯＭ、ＥＥＰＲＯＭ、フラッシュメモリ、ハードディスク・ドライブなどのような、１つ又は複数の不揮発性メモリ素子）を含む。プロセッサ４２２によって実行されるとき、命令は、ＣＮＵ４２０に、ＣＮＵ４２０のケーブル設備上で、ＯＣＵ１３０にメッセージを送信させ、ＯＣＵ１３０からのメッセージを処理させ、ＯＣＵ１３０でデータを移動させることを行わせる（例えば、図３Ａ及び図３Ｂに説明されているように）。例えば、これらの命令は、方法５００のすべて又は一部を実行するための命令を含む。
【００３１】
[0037]  同軸ケーブルＰＨＹ４２６は、発見及びノーマル・モードの間に送信のために使用されるべきプレフィックス長さを規定し、また発見及びノーマル・モードの間に受信された信号に関する起こりうるプレフィックス長さを規定する値を記憶するために、構成レジスタ４２８を含む。レジスタ４２８に記憶された値は、ＯＣＵ１３０からの（例えば、ＣＬＴ１６２からの）メッセージに応答して更新される。例えば、レジスタ４２８に記憶された値は、図３Ａ乃至３Ｂ中のステップ５のメッセージ又は動作５１４のメッセージにより更新される（図５）。この方法において、ＣＮＵ４２０は、異なる長さからなるサイクリック・プレフィックスを伴うＯＦＤＭシンボルを送信及び受信するために、異なるモードに構成される。例えば、ＣＮＵ４２０は、発見モード動作の間に第１の長さからなるサイクリック・プレフィックスを伴う１つ又は複数のＯＦＤＭシンボルを含む１つ又は複数のメッセージ・パケットを受信し、ノーマル・モード動作の間に第２の長さからなるサイクリック・プレフィックスを伴うＯＦＤＭシンボルを含むデータ・パケットを受信するために、この方法中で構成され、ここで、第２の長さは第１の長さより小さい。
【００３２】
[0038]  図５は、いくつかの実施形態による、ケーブル設備１５０（図１Ｂ乃至１Ｃ）によってＣＬＴ１６２（図１Ｂ乃至１Ｃ）に接続された（５０２）ＣＮＵ１４０（例えば、ＣＮＵ１４０−１乃至１４０−５のうちの１つ、図１Ａ乃至１Ｃ）を操作することのための方法５００のフローチャートである。方法５００がＣＮＵ１４０によって実行されている間、類似した方法が、対応するＣＬＴ１６２によって実行され得る。ＣＬＴ１６２は、ＣＮＵ１４０によって受信されたパケットを送信し、ＣＮＵ１４０によって送信されたパケットを受信する。
【００３３】
[0039]  発見モード動作において、ＣＮＵ１４０は、１つ又は複数のＯＦＤＭシンボルを含む１つ又は複数のメッセージ・パケットをＣＬＴ１６２から受信する（５０４）。メッセージ・パケットのＯＦＤＭシンボルは、第１の長さ（例えば、サイクリック・プレフィックス２００、図２Ａ）からなるサイクリック・プレフィックスを有する。例えば、ＣＮＵ１４０は、第１の長さからなるサイクリック・プレフィックスを伴うＯＦＤＭシンボルをそれぞれ含む、発見ＧＡＴＥ、ＲＥＧＩＳＴＥＲ、及び／又はＧＡＴＥメッセージ（ステップ１、３ａ、及び３ｂ、図３Ａ乃至３Ｂ）を受信する。
【００３４】
[0040]  いくつかの実施形態において、１つ又は複数のメッセージ・パケットのそれぞれのメッセージ・パケットは、ノーマル・モード動作の間に使用されるべき第２のサイクリック・プレフィックス長さを規定する（５０６）。それぞれのメッセージ・パケットは、ＣＮＵ１４０に、ノーマル・モード動作におけるデータ・パケットが、第２の長さからなるサイクリック・プレフィックスを有するだろうことを指示する。
【００３５】
[0041]  また、発見モードにおいて、ＣＮＵ１４０は、１つ又は複数のＯＦＤＭシンボルを含む１つ又は複数のメッセージ・パケットを、ＣＬＴ１６２に送信する（５０８）。例えば、ＣＮＵ１４０は、ＲＥＧＩＳＴＥＲ＿ＲＥＱメッセージ及び／又はＲＥＧＩＳＴＥＲ＿ＡＣＫメッセージ（ステップ２及び４、図３Ａ乃至図３Ｂ）を送信し、それらの各々は、ＯＦＤＭシンボルを含む。いくつかの実施形態において、ＯＦＤＭシンボルは、第１の長さからなるサイクリック・プレフィックスを有する（５１０）。いくつかの実施形態において、ＯＦＤＭシンボルは、アップストリーム送信に関して利用可能な最高に良い長さからなるサイクリック・プレフィックスを有する（５１０）。
【００３６】
[0042]  いくつかの実施形態において、ノーマル・モード動作の間に、ＣＮＵ１４０は、ＣＬＴ１６２から、ノーマル・モードの間に続いて使用されるべき第２のサイクリック・プレフィックスを規定するメッセージ・パケット（例えば、図３Ａ乃至３Ｂのステップ５におけるＰＲＥＦＩＸ＿ＳＰＥＣＩＦＩＣＡＴＩＯＮメッセージ）を受信する（５１４）。このメッセージ・パケットは、第１の長さからなるサイクリック・プレフィックスを伴うＯＦＤＭシンボルを含み、ＣＮＵに、後続のデータ・パケットは、第２の長さからなるサイクリック・プレフィックスを有するだろうことを指示する。例えば、動作５１４は、動作５０６に代わるものとして実行される。いくつかの実施形態において、ノーマル・モードの間、及び第２のプレフィックス長さを規定するメッセージ・パケットを受信する（５１４）前に、ＣＮＵ１４０は、ＣＬＴ１６２から、第１の長さからなるサイクリック・プレフィックスを有するＯＦＤＭシンボルを含むデータ・パケットを受信する（５１２）。したがって、第１の長さからなるサイクリック・プレフィックスを伴うＯＦＤＭシンボルを使用する、ＣＮＵ１４０とＣＬＴ１６２の間のデータ移動（例えば、データ移動３０４、図３Ｂ）は、第２の長さの規定前にノーマル・モードにおいて起こりうる。
【００３７】
[0043]  ノーマル・モード動作の間、ＣＮＵ１４０は、ＣＬＴ１６２から、第１の長さより短い、第２の長さからなるサイクリック・プレフィックス（例えば、サイクリック・プレフィックス２０４、図２Ｂ、又は２０８、図２Ｃ）を有するＯＦＤＭシンボルを含むデータ・パケットを受信する（５１６）。いくつかの実施形態において、第２の長さは、ダウンストリーム送信に関して利用可能なサイクリック・プレフィックス長さのセットから選択される（５１８）。
【００３８】
[0044]  また、ノーマル・モード動作の間、ＣＮＵ１４０は、ＣＬＴ１６２へ、ＯＦＤＭシンボルを含むデータ・パケットを送信する（５２０）。いくつかの実施形態において、これらのＯＦＤＭシンボルは、第２の長さからなる、又はアップストリーム送信のために利用可能な最長の長さからなるサイクリック・プレフィックスを有する（５２２）。あるいは、これらのＯＦＤＭシンボルは、第２の長さより長い第３の長さからなるサイクリック・プレフィックスを有する（５２４）。データ・パケット送信において第３の長さからなるサイクリック・プレフィックスを使用する前に、ＣＮＵ１４０は、データ・パケットを送信するとき、第３の長さからなるサイクリック・プレフィックスを使用するように、ＣＮＵ１４０に指示するメッセージを、ＣＬＴ１６２から受信する。いくつかの実施形態において、これらのＯＦＤＭシンボルは、アップストリーム送信のための利用可能なサイクリック・プレフィックス長さのセットから選択された（５２６）長さからなるサイクリック・プレフィックスを有する。
【００３９】
[0045]  方法５００は、特定の順番で起きるように思われる多数の動作を含むが、方法５００は、いくつかは、連続的に又は並行して実行される、より多い又はより少ない動作を含むことができる。２つ以上の動作の順番は、変更され得、２つ以上の動作は、単一の動作に組み合され得る。
【００４０】
[0046]  上述の明細書において、本実施形態は、それについて、特定の典型的な実施形態を参照して説明されている。しかしながら、添付の特許請求の範囲に説明されるように、本開示のより広い精神及び範囲から逸脱することなく、様々な修正及び変更がそれらになされることは、明らかであろう。したがって、明細書及び図面は、限定的な意味というよりは、むしろ例示的な意味にみなされるべきである。
以下に本願発明の当初の特許請求の範囲に記載された発明を付記する。
［Ｃ１］
ケーブル設備によって同軸ケーブル線端末につながれた同軸ケーブル・ネットワーク・ユニットを動作させるための方法であって、前記方法は、
発見モード動作において：
第１の長さからなるサイクリック・プレフィックスを有する、１つ又は複数の直交周波数分割多重（ＯＦＤＭ）シンボルを備える１つ又は複数のメッセージ・パケットを、前記同軸ケーブル線端末から受信することと、
前記発見モードに続くノーマル・モード動作において：
第２の長さからなるサイクリック・プレフィックスを有するＯＦＤＭシンボルを備えるデータ・パケットを前記同軸ケーブル線端末から受信することと、前記第２の長さは、前記第１の長さより短い
を備える方法。
［Ｃ２］
前記発見モードにおいて１つ又は複数のメッセージ・パケットを受信することは、前記同軸ケーブル・ネットワーク・ユニットの登録をトリガするために、発見メッセージを受信することを備え、前記発見メッセージは、前記第１の長さからなるサイクリック・プレフィックスを有するＯＦＤＭシンボルを備える、Ｃ１に記載の方法。
［Ｃ３］
前記発見モードにおいて、登録要求メッセージを伴う前記発見メッセージに応答することをさらに備える、Ｃ２に記載の方法。
［Ｃ４］
前記登録要求メッセージは、前記第１の長さからなるサイクリック・プレフィックスを有するＯＦＤＭシンボルを備える、Ｃ３に記載の方法。
［Ｃ５］
前記登録要求メッセージは、前記同軸ケーブル・ネットワーク・ユニットから前記同軸ケーブル線端末へアップストリーム送信のために利用可能な最長のサイクリック・プレフィックスを有するＯＦＤＭシンボルを備える、Ｃ３に記載の方法。
［Ｃ６］
前記発見モードにおいて前記１つ又は複数のメッセージ・パケットを受信することは、前記登録要求メッセージに応答して登録メッセージ及びゲート・メッセージを受信することをさらに備え、前記登録及びゲート・メッセージは、各々前記第１の長さからなるサイクリック・プレフィックスを有するＯＦＤＭシンボルを備える、Ｃ３に記載の方法。
［Ｃ７］
前記登録メッセージ及びゲート・メッセージに応答して肯定応答メッセージを送信することをさらに備える、Ｃ６に記載の方法。
［Ｃ８］
前記肯定応答メッセージは、前記第１の長さからなるサイクリック・プレフィックスを有するＯＦＤＭシンボルを備える、Ｃ７に記載の方法。
［Ｃ９］
前記肯定応答メッセージは、前記同軸ケーブル・ネットワーク・ユニットから前記同軸ケーブル線端末へアップストリーム送信のために利用可能な最長のサイクリック・プレフィックスを有するＯＦＤＭシンボルを備える、Ｃ７に記載の方法。
［Ｃ１０］
前記第１の長さからなるサイクリック・プレフィックスを有するＯＦＤＭシンボルを備えるプレフィックス規定メッセージを前記同軸ケーブル線端末から受信することをさらに備え、前記プレフィックス規定メッセージは、前記同軸ケーブル・ネットワーク・ユニットに、前記データ・パケットが、前記第２の長さからなるサイクリック・プレフィックスを有するだろうと指示する、Ｃ１に記載の方法。
［Ｃ１１］
前記プレフィックス規定メッセージは、前記ノーマル・モード動作において受信され、
前記方法は、前記ノーマル・モード動作において前記プレフィックス規定メッセージを受信する前に、前記第１の長さからなるサイクリック・プレフィックスを有するＯＦＭＤシンボルを備えるデータ・パケットを受信することをさらに備える、Ｃ１０に記載の方法。
［Ｃ１２］
前記発見モードにおける前記１つ又は複数のメッセージ・パケットのぞれぞれのメッセージ・パケットは、前記同軸ケーブル・ネットワーク・ユニットに、前記データ・パケットは、前記第２の長さからなるサイクリック・プレフィックスを有するだろうと指示する、Ｃ１に記載の方法。
［Ｃ１３］
ノーマル・モード動作において、前記ケーブル設備を介して前記同軸ケーブル線端末へＯＦＤＭシンボルを備えるデータ・パケットを送信することをさらに備え、ここにおいて、前記送信されたデータ・パケットの前記ＯＦＤＭシンボルは、前記第２の長さとは異なる第３の長さからなるサイクリック・プレフィックスを有する、Ｃ１に記載の方法。
［Ｃ１４］
前記第３の長さからなるサイクリック・プレフィックスを有するＯＦＤＭシンボルを備える前記データ・パケットを送信する前に、データ・パケットを送信するとき、前記同軸ケーブル線端末から、前記第３の長さからなるサイクリック・プレフィックスを使用するように、前記同軸ケーブル・ネットワーク・ユニットに指示するメッセージを受信することをさらに備える、Ｃ１３に記載の方法。
［Ｃ１５］
前記同軸ケーブル・ネットワーク・ユニットに、前記第３の長さからなるサイクリック・プレフィックスを使用するように指示する前記メッセージは、前記第１の長さからなるサイクリック・プレフィックスを有するＯＦＤＭシンボルを備える、Ｃ１４に記載の方法。
［Ｃ１６］
前記第３の長さは、前記第２の長さより長い、Ｃ１３に記載の方法。
［Ｃ１７］
前記第１及び第２の長さは、前記同軸ケーブル線端末から前記同軸ケーブル・ネットワーク・ユニットへダウンストリーム送信のために利用可能なサイクリック・プレフィックス長さのセットから選択され、
前記第３の長さは、前記同軸ケーブル・ネットワーク・ユニットから前記同軸ケーブル線端末へアップストリーム送信のために利用可能なサイクリック・プレフィックス長さのセットから選択される、Ｃ１３に記載の方法。
［Ｃ１８］
前記第１及び第２の長さは、利用可能なサイクリック・プレフィックス長さのセットから選択され、
前記第１の長さは、前記セットのうちの最長の長さである、Ｃ１に記載の方法。
［Ｃ１９］
同軸ケーブル・ネットワーク・ユニットであって、
同軸ケーブル線端末へＯＦＤＭシンボルを備えるパケットを送信する送信器と、
前記同軸ケーブル線端末からＯＦＤＭシンボルを備えるパケットを受信する受信器と、を備え、
前記受信器は、発見モード動作の間、第１の長さからなるサイクリック・プレフィックスを伴う１つ又は複数のＯＦＤＭシンボルを備える１つ又は複数のメッセージ・パケットを受信し、ノーマル・モード動作の間、第２の長さからなるサイクリック・プレフィックスを伴うＯＦＤＭシンボルを備えるデータ・パケットを受信するように構成可能であり、前記第２の長さは、前記第１の長さよりも短い、
同軸ケーブル・ネットワーク・ユニット。
［Ｃ２０］
前記送信器は、利用可能なサイクリック・プレフィックス長さのセットから選択されるべき長さからなるサイクリック・プレフィックスを伴うＯＦＤＭシンボルを備えるパケットを送信するように構成可能である、Ｃ１９に記載の同軸ケーブル・ネットワーク・ユニット。
［Ｃ２１］
１つ又は複数のプロセッサと、
前記１つ又は複数のプロセッサによって実行されるとき、前記同軸ケーブル・ネットワーク・ユニットに、前記受信器を、前記ノーマル・モードの間、前記第２の長さの使用を規定する、前記同軸ケーブル線端末からのメッセージ・パケットに応答して、前記第２の長さからなる前記サイクリック・プレフィックスを伴う前記ＯＦＤＭシンボルを受信するように構成させる命令を記憶するメモリと
をさらに備える、Ｃ１９に記載の同軸ケーブル・ネットワーク・ユニット。
［Ｃ２２］
同軸ケーブル・ネットワーク・ユニットであって、
同軸ケーブル線端末へＯＦＤＭシンボルを備えるパケットを送信する送信器と、
前記同軸ケーブル線端末からＯＦＤＭシンボルを備えるパケットを受信する受信器と、
前記受信器を、発見モード動作の間、第１の長さからなるサイクリック・プレフィックスを伴う１つ又は複数のＯＦＤＭシンボルを備える１つ又は複数のメッセージ・パケットを受信し、ノーマル・モード動作の間、第２の長さからなるサイクリック・プレフィックスを伴うＯＦＤＭシンボルを備えるデータ・パケットを受信するように構成するための手段と、前記第２の長さは、前記第１の長さよりも短い、
を備える、同軸ケーブル・ネットワーク・ユニット。
【図１Ａ】
0005823648.tif 000002
【図１Ｂ】
0005823648.tif 000003
【図１Ｃ】
0005823648.tif 000004
【図２Ａ】
0005823648.tif 000005
【図２Ｂ】
0005823648.tif 000006
【図２Ｃ】
0005823648.tif 000007
【図３Ａ】
0005823648.tif 000008
【図３Ｂ】
0005823648.tif 000009
【図４Ａ】
0005823648.tif 000010
【図４Ｂ】
0005823648.tif 000011
【図５】
0005823648.tif 000012